(57)【要約】【課題】レジスタ本体のポップアップ状態或いは収納状態に拘わらず、上面吹出口或いは前面吹出口からの空気吹出し流量を調整することができる空気吹出調整用レジスタを提供する。【解決手段】レジスタ本体１内にダンパ１４が上面吹出口１１及び前面吹出口１２からの空気吹出し流量を調整可能にダンパ軸１３を介して回動可能に配設される。操作ダイヤル６がダンパ軸１３に連係されてダンパ１４を回動操作可能に配設される。ダンパ軸１３にはレバー９がクラッチ機構を介して連結されると共に、レバー９の端部が収納部３の側壁部３ａに設けたガイド溝３ｂに係合する。レジスタ本体１がポップアップ状態から収納位置に回動するとき、ダンパ１４は上面吹出口１１を開放し且つ前面吹出口１２を閉じるように回動する。【選択図】図２
2005178516.tif 000002
【特許請求の範囲】
【請求項１】
上面吹出口と前面吹出口を有したレジスタ本体が支持軸を介して収納部内に配設され、該前面吹出口を突き出すようにポップアップ動作するポップアップ式の空気吹出調整用レジスタにおいて、
該レジスタ本体内にダンパが前記上面吹出口及び前面吹出口からの空気吹出し流量を調整可能にダンパ軸を介して回動可能に配設され、操作ダイヤルが該ダンパ軸に連係されて該ダンパを回動操作可能に配設され、該ダンパ軸にはレバーがクラッチ機構を介して連結されると共に、該レバーの端部が該収納部の壁部に設けたガイド溝に係合し、該レジスタ本体がポップアップ状態から収納位置に回動するとき、該ダンパが該上面吹出口を開放し且つ該前面吹出口を閉じるように回動し、該レジスタ本体が収納状態からポップアップ位置に回動するとき、該ダンパが該上面吹出口を閉鎖し且つ該前面吹出口を開くように回動することを特徴とする空気吹出調整用レジスタ。
【請求項２】
前記操作ダイヤルは複数の歯車を介して前記ダンパ軸に連係されていることを特徴とする請求項１記載の空気吹出調整用レジスタ。
【請求項３】
前記レジスタ本体の支持軸は複数の歯車を介してアクチュエータに連係され、該アクチュエータの駆動により該支持軸が回動してレジスタ本体がポップアップ動作を行うことを特徴とする請求項１記載の空気吹出調整用レジスタ。
【請求項４】
前記レバーのクラッチ機構は、前記レバーの回動軸部がばね部材によって前記ダンパ軸の端部近傍に摺動可能に押し付けられ、該ダンパ軸の回動端を越えた該レバーの回動に対し該回動軸部の摺動面に滑りが生じるように構成されている請求項１記載の空気吹出調整用レジスタ。
【発明の詳細な説明】
【技術分野】
【０００１】
本発明は、自動車の車内等の換気や空調の空気吹出口に使用される空気吹出調整用レジスタに関し、特に必要に応じて空気吹出口がパネル（インストルメントパネル等）内から突き出す構造のポップアップ式の空気吹出調整用レジスタに関する。
【背景技術】
【０００２】
従来、この種のポップアップ式の空気吹出調整用レジスタとして、空気吹出し口を有するレジスタフレームが、インストルメントパネルに設けた開口部から突出可能に、支持軸とブラケットを介して、インストルメントパネルの内側に取り付けられ、そのレジスタフレームを、リンクを介して手動操作により、或いはモータにより支持軸を軸に回動させ、必要に応じて前面吹出口をインストルメントパネルから上方に突出すようにしたレジスタが、下記特許文献１等で知られている。
【特許文献１】実開昭６１−１１３１１５号公報
【０００３】
この従来のポップアップ式の空気吹出調整用レジスタは、レジスタフレームに上面吹出口と前面吹出口が設けられると共に、内部にポップアップ動作に従動して回動するダンパが配設され、レジスタフレームをポップアップ動作つまり上方に突き出し動作させたとき、ダンパが前面吹出口を閉じて上面吹出口を開くように回動し、レジスタフレームを下方の収納位置に引き戻し動作させたとき、ダンパが前面吹出口を閉じて上面吹出口を開くように構成されていた。
【発明の開示】
【発明が解決しようとする課題】
【０００４】
しかしながら、この従来の空気吹出調整用レジスタは、レジスタフレームを収納状態としてその前面吹出口を閉じて上面吹出口を開いた状態で、ダンパが前面吹出口の閉鎖位置に固定されるため、開口した上面吹出口からの空気吹出し流量を調整することができず、同様に、レジスタフレームをポップアップ状態としてその上面吹出口を閉鎖し前面吹出口を開いた状態では、ダンパが上面吹出口の閉鎖位置に固定されるため、開口した前面吹出口からの空気吹出し流量を調整できないという問題があった。
【０００５】
本発明は、上記の点に鑑みてなされたもので、レジスタ本体のポップアップ状態或いは収納状態に拘わらず、上面吹出口或いは前面吹出口からの空気吹出し流量を調整することができる空気吹出調整用レジスタを提供することを目的とする。
【課題を解決するための手段】
【０００６】
上記目的を達成するために、本発明の空気吹出調整用レジスタは、上面吹出口と前面吹出口を有したレジスタ本体が支持軸を介して収納部内に配設され、前面吹出口を突き出すようにポップアップ動作するポップアップ式の空気吹出調整用レジスタにおいて、レジスタ本体内にダンパが上面吹出口及び前面吹出口からの空気吹出し流量を調整可能にダンパ軸を介して回動可能に配設され、操作ダイヤルがダンパ軸に連係されてダンパを回動操作可能に配設され、ダンパ軸にはレバーがクラッチ機構を介して連結されると共に、レバーの端部が収納部の壁部に設けたガイド溝に係合し、レジスタ本体がポップアップ状態から収納位置に回動するとき、ダンパが該上面吹出口を開放し且つ前面吹出口を閉じるように回動し、レジスタ本体が収納状態からポップアップ位置に回動するとき、ダンパが上面吹出口を閉鎖し且つ前面吹出口を開くように回動することを特徴とする。
【０００７】
ここで、請求項２のように、上記操作ダイヤルは複数の歯車を介してダンパ軸に連係する構成とすることができる。
【０００８】
また、請求項３のように、上記レジスタ本体の支持軸は複数の歯車を介してアクチュエータに連係し、アクチュエータの駆動により支持軸が回動してレジスタ本体がポップアップ動作を行うように構成することができる。
【０００９】
また、請求項４のように、上記レバーのクラッチ機構は、レバーの回動軸部がばね部材によってダンパ軸の端部近傍に摺動可能に押し付けられ、ダンパ軸の回動端を越えたレバーの回動に対し回動軸部の摺動面に滑りが生じるように構成することができる。
【発明の効果】
【００１０】
上記構成の空気吹出調整用レジスタは、アクチュエータの駆動により歯車及び支持軸を介してレジスタ本体が回動し、収納部内の収納状態からポップアップ位置まで回動し或いはポップアップ状態から収納位置まで回動するように動作する。このとき、レジスタ本体内の通風路に位置するダンパは、レジスタ本体が収納位置からポップアップ状態まで回動する際、レバーとガイド溝の作用により、ダンパの位置が何れの角度位置にあるときでも、ダンパを上方に回動して上面吹出口を閉鎖し、前面吹出口を開放するように吹出口の切り換えを行うことができる。また、レジスタ本体がポップアップ状態から収納状態に回動するとき、ダンパの角度位置に拘わらず、ダンパを下方に回動して前面吹出口を閉鎖し、上面吹出口を開放するよう吹出口の切り換えを行うことができる。
【００１１】
このように、レジスタ本体内のダンパの角度位置に拘わらず、ポップアップ動作或いは収納動作を行った際には、ダンパを前面吹出し用に或いは上面吹出し用に確実に切り換えることができる。
【００１２】
さらに、レジスタ本体内のダンパは、操作ダイヤルの操作によりダンパ軸を軸に回動し、レジスタ本体内の通風路を絞り或いは開放して、上面吹出口或いは前面吹出口の空気吹出し流量を、レジスタ本体が収納或いはポップアップの何れの状態に拘わらず、調整することができる。
【００１３】
また、ダンパは、レジスタ本体が回動する際、レバー、ガイド溝の作用により回動するが、その回動端に達した後は、レバーの回動軸部のクラッチ機構の作用により、レバーが滑ってその位置で停止するため、ダンパの位置が何れの角度位置にあるときでも、確実に上面吹出口を閉鎖して前面吹出口を開放し、或いは前面吹出口を閉鎖して上面吹出口を開放するように、ダンパを切り換えることができる。
【発明を実施するための最良の形態】
【００１４】
以下、本発明の実施の形態を図面に基づいて説明する。図１はポップアップ式の空気吹出調整用レジスタの収納時の斜視図を示し、図２、図３はその断面図を示している。また、図４はそのポップアップ時の斜視図を示し、図５、図６はその断面図を示している。１はその上面に上面吹出口１１を設けその前面に前面吹出口１２を設けたレジスタ本体であり、空調用の送風ダクト４の先端部に接続され、インストルメントパネル等のパネル２の内側に形成された収納部３内に、ポップアップ可能に配設されている。
【００１５】
さらに、レジスタ本体１は、その後部に水平に配設された支持軸１５を介して収納部３内で回動可能に軸支され、収納部３上のパネル２の上面に設けた開口部からポップアップつまり突き出し可能に配設され、ポップアップ状態では、レジスタ本体１の前面に設けた前面吹出口１２が前方に開口する。収納部３はパネル２の下側に形成された側壁部３ａにより周囲を包囲され、その内部は空調用の送風ダクト４の先端に接続される。
【００１６】
すなわち、レジスタ本体１は、図２、図３、図５、図６の断面図に示すように、上側のカバー部１ａと、カバー部１ａの前部に延設されたベゼル部１ｂと、ベゼル部１ｂの側部を覆う側壁部１ｃとを有して構成され、カバー部１ａに上面吹出口１１が形成され、ベゼル部１ｂに前面吹出口１２が形成され、その前面吹出口１２内には前吹出口リテーナ５が配設される。そして、前吹出口リテーナ５内の前部に前可動ルーバ２１が取り付けられ、その内側後方に後可動ルーバ２２が、送風方向を調整可能に取り付けられる。
【００１７】
前可動ルーバ２１は、複数の横フィン２１ａを一定の間隔で回動可能に配置し、それらをリンクで相互に連結して構成される。各横フィン２１ａの両側には回動軸が突設され、その回動軸は横軸受部に回動可能に嵌合される。更に、各横フィン２１ａの一方の回動軸の先端に、偏位軸を持つリンク部材が連結され、各偏位軸はリンクバーにより相互に連結され、リンク機構が構成される。
【００１８】
後可動ルーバ２２は、複数の縦フィン２２ａを一定の間隔で回動可能に配置し、それらをリンクバーで相互に連結して構成される。各縦フィン２２ａの上部と下部には回動軸が突設され、それらの回動軸は縦軸受部に回動可能に嵌合される。更に、各縦フィン２２ａの下部には連結軸が突設され、それらの連結軸はリンクバーにより相互に連結される。
【００１９】
前可動ルーバ２１の横フィン２１ａの一枚には、操作ノブ２３が左右横方向に摺動可能に装着され、操作ノブ２３の後部に設けた歯部が、後可動ルーバ２２の縦フィン２２ａに設けた歯車部に噛合する。これにより、操作ノブ２３を上下に操作すると、前可動ルーバ２１が上下にその向きを変え、操作ノブ２３を左右に操作すると、後可動ルーバ２２がその向きを左右に変えて、風向を上下左右に変えることができる。
【００２０】
一方、レジスタ本体１の上部のカバー部１ａには上面吹出口１１が形成され、その上面吹出口１１には斜め前方に向けて固定フィン１１ａが設けられている。さらに、その下側にはダンパ１４が上面吹出口１１と前面吹出口１２を選択的に開閉可能で、且つそれらの吹出口１１，１２からの空気吹出し流量を調整可能に配設されている。ダンパ１４は、図２、図５、図７、図８の断面図に示すように、レジスタ本体１内で、その上部を水平なダンパ軸１３を介して軸支され、上下に所定の角度範囲で回動可能である。そのダンパ軸１３は、図７に示すように、レジスタ本体１の側壁部１ｃに嵌合支持され、ダンパ軸１３の先端には、第二歯車１７が軸着される。
【００２１】
第二歯車１７は操作ダイヤル６の軸６ａに軸着された第一歯車１６に噛合し、操作ダイヤル６はレジスタ本体１の内側の側部に、その上部を上方に露出し、所定の角度範囲で手動により回動操作可能に軸支されている。さらに、そのダンパ軸１３の先端には、レジスタ本体１の突き出しと収納動作に応じて、ダンパ１４を回動させるためのレバー９が連結されている。
【００２２】
図７の拡大断面図に示すように、レバー９の上端部に回動軸部９ｂが設けられ、その回動軸部９ｂをコイルばね９ｄを介して第二歯車１７の軸部に押し付けるように、軸ピン９ｃが回動軸部９ｂと第二歯車１７の軸心位置に嵌着され、コイルばね９ｄの押圧による摩擦抵抗によりレバー９と第二歯車１７は共に回動する。これにより、レバー９とダンパ軸１３との連結部にクラッチ機構が形成され、ダンパ軸１３の所定角度範囲の回動ではレバー９とダンパ軸１３とが連結して一体に回動し、ダンパ軸１３の回動端に達すると、その連結部に滑りが生じ、ダンパ軸１３が停止してレバー９のみが回動する。
【００２３】
すなわち、レバー９がその回動軸部９ｂを支点に回動すると、所定角度範囲では連結状態にある第二歯車１７が回転し、そこに連結されたダンパ軸１３を含むダンパ１４が回動するが、レバー９が回動してもダンパ１４が回動端に達してそれ以上の回動ができない場合、レバー９と第二歯車１７の摩擦摺動面が滑り、レバー９のみが回動する。
【００２４】
また、図６、図７に示すように、レバー９の下端には、ピン９ａが突設され、そのピン９ａが、収納部３の側壁部３ａの内側に設けられたガイド溝３ｂに係合している。このガイド溝３ｂは、図６に示すように下方に傾斜して配置され、レジスタ本体１を図２のように収納位置に回動させたとき、ダンパ１４を略真下に向ける位置に回動させて前面吹出口１２を閉鎖し、レジスタ本体１を図５のようにポップアップ位置に回動させたとき、ダンパ１４を略水平位置に回動させて、上面吹出口１１を閉鎖するように動作する。
【００２５】
レジスタ本体１を回動可能に支持する支持軸１５と同軸上のレジスタ本体１のボス部に従動歯車８が取り付けられ、その従動歯車８に噛合して駆動歯車７が配設され、駆動歯車７は収納部３に軸支された軸７ａに軸着される。そして、ポップアップ用のアクチュエータ（例えばサーボモータ）１９が収納部３の外側に取り付けられ、アクチュエータ１９の回転軸がその駆動歯車７の軸７ａに連結される（図３）。
【００２６】
アクチュエータ１９の操作スイッチ１８は図示しないインストルメントパネルの一部等に配設され、その操作スイッチ１８を操作すると、アクチュエータ１９が回転して、駆動歯車７、従動歯車８、支持軸１５が回転駆動され、レジスタ本体１が支持軸１５を軸に所定の収納位置から突出位置の範囲内で回動する。
【００２７】
また、レジスタ本体１が図３の収納状態から図６のポップアップ状態に回動するとき、レバー９とガイド溝３ｂの作用により、ダンパ軸１３は図５の時計方向に回動し、ダンパ１４は図５のように上面吹出口１１を閉鎖する位置まで回動する。同様に、レジスタ本体１が図６の状態から図３の収納状態に回動するとき、レバー９とガイド溝３ｂの作用により、ダンパ軸１３は図２の反時計方向に回動し、ダンパ１４は図２のように前面吹出口１２を閉鎖する位置まで回動する。
【００２８】
この際、操作ダイヤル６の操作によってダンパ１４が何れの回動位置にある場合であっても、ダンパ軸１３が回動端に達した際には、レバー９の回動軸部９ｂがダンパ軸１３に対し滑って摺動し、問題なく吹出口を閉鎖状態とすることができる。つまり、ダンパ１４は操作ダイヤル６の操作により任意の角度に回動させて吹出し空気流量を任意に調整することができ、レジスタ本体１の収納時或いはポップアップ時には、ダンパ１４の静止位置に拘わらず、ダンパ１４を吹出口の閉鎖位置まで回動させることができる。
【００２９】
上記構成の空気吹出調整用レジスタは、自動車の車内のインストルメントパネル等に設けられた開口部の内側で、通風ダクト４の先端部に装着された収納部３に収納及びポップアップ可能に装着される。
【００３０】
図２、図３に示すように、レジスタ本体１がパネル２内の収納部３に収納された状態にあるとき、操作スイッチ１８を操作すると、ポップアップ用のアクチュエータ１９が駆動し、駆動歯車７と従動歯車８を回動させ、レジスタ本体１が支持軸１５を軸にして上側に回動し、図５、図６に示すように、その前面吹出口１２をパネル２の開口部から突き出したポップアップ状態となる。
【００３１】
このとき、レジスタ本体１が上方に回動する際、レバー９の動作により第二歯車１７が図３の時計方向に回動し、ダンパ軸１３が同方向に回動して、図５に示すように、ダンパ１４はレジスタ本体１の上面吹出口１１の真下まで回動しその吹出口１１を閉鎖する。また、ダンパ１４は、上面吹出口１１を閉鎖する前に何れの位置にあっても、ダンパ軸１３がその閉鎖側への回動端に達すると、レバー９の回動軸部９ｂとダンパ軸１３との摩擦面に滑りが生じ、操作スイッチ１８をポップアップ側に操作した際には、ダンパ１４が常に上面吹出口１１の真下まで回動し、それを閉鎖する。
【００３２】
したがって、このポップアップ状態では、図５に示すように、上面吹出口１１が閉鎖され、前面吹出口１２が開放状態となり、前面吹出口１２から前面に向けて送風が行われる。前面吹出し状態で、送風方向を調整する場合は、前可動ルーバ２１に配設された操作ノブ２３を操作して、前可動ルーバ２１を上下に回動させ、或いは後可動ルーバ２２を左右に回動させて、空気の吹出し方向を調整することができる。さらに、空気の吹出し流量を調整する場合は、操作ダイヤル６を操作して、流量を調整する。図５、図６に示すように、前面吹出口１２からの吹出し空気流量を絞る場合は、操作ダイヤル６を時計方向に回し、第一歯車１６、第二歯車１７を介してダンパ軸１３及びダンパ１４を反時計方向に回動させ、吹出し空気流量を下げることができる。
【００３３】
このように、レジスタ本体１がポップアップ状態に操作されたとき、ダンパ１４は上面吹出口１１を閉鎖し、前面吹出口１２を開放した状態となるが、操作ダイヤル６を操作することにより、そのダンパ１４を任意の角度に調整して、空気の吹出し流量を調整することができる。
【００３４】
一方、図５、図６に示すように、レジスタ本体１がポップアップ状態にあるとき、操作スイッチ１８を操作すると、アクチュエータ１９がポップダウン側に駆動し、駆動歯車７と従動歯車８を回動させ、レジスタ本体１が支持軸１５を軸にして下側に回動し、図２、図３に示すように、その前面吹出口１２が収納部３内に入り、レジスタ本体１は収納状態となる。
【００３５】
このとき、レジスタ本体１が下方に回動する際、レバー９の動作により第二歯車１７が図３の反時計方向に回動し、ダンパ軸１３が同方向に回動して、図２に示すように、ダンパ１４はレジスタ本体１の前面吹出口１２の真後まで回動しその吹出口１２を閉鎖する。また、ダンパ１４は、前面吹出口１２を閉鎖する前に何れの位置にあっても、ダンパ軸１３がその閉鎖側への回動端に達すると、レバー９の回動軸部９ｂとダンパ軸１３との摩擦面に滑りが生じ、操作スイッチ１８をポップダウン側に操作した際、ダンパ１４は常に前面吹出口１２の真後まで回動して停止し、それを閉鎖する。
【００３６】
したがって、このポップダウンつまり収納状態では、図２に示すように、前面吹出口１２が閉鎖され、上面吹出口１１が開放状態となり、上面吹出口１１から上方に向けて送風が行われる。上面吹出し状態で、空気の吹出し流量を調整する場合は、操作ダイヤル６を操作して、流量を調整することができる。図２、図３に示すように、上面吹出口１１からの吹出し空気流量を絞る場合は、操作ダイヤル６を反時計方向に回し、第一歯車１６、第二歯車１７を介してダンパ軸１３及びダンパ１４を時計方向に回動させて、吹出し空気流量を下げることができる。
【００３７】
このように、レジスタ本体１が収納状態に操作されたとき、ダンパ１４は前面吹出口１２を閉鎖し、上面吹出口１１を開放した状態となるが、操作ダイヤル６を操作することにより、そのダンパ１４を任意の角度に調整して、空気の吹出し流量を調整することができる。
【００３８】
なお、上記実施形態では、レジスタ本体１が駆動歯車７と従動歯車８を介してアクチュエータ１９により回動される構造を採用したが、レバー、リンク部材を介してレジスタ本体を回動する構造とすることもできる。また、上記ではダンパ１４のダンパ軸１３は歯車を介して操作ダイヤルに連係させる構造としたが、レバー、リンク部材を介してダンパ軸を操作ダイヤルにより回動する構造とすることもできる。
【００３９】
以上説明したように、本発明の空気吹出調整用レジスタによれば、レジスタ本体が収納状態或いはポップアップ状態の何れの状態にある場合でも、操作ダイヤルの操作によりダンパを回動させて、上面吹出口或いは前面吹出口からの空気吹出し流量を調整することができる。また、ダンパの位置が何れの角度位置にあるときでも、レジスタ本体が収納状態からポップアップ状態に動くとき、ダンパを上方に回動して上面吹出口を閉鎖して前面吹出口を開放し、レジスタ本体がポップアップ状態から収納状態に動くときには、ダンパを下方に回動して前面吹出口を閉鎖し上面吹出口を開放するように、ダンパを確実に切り換えることができる。
【図面の簡単な説明】
【００４０】
【図１】本発明の一実施形態を示す空気吹出調整用レジスタの収納状態の斜視図である。
【図２】図１のII-II断面図である。
【図３】図１のIII-III断面図である。
【図４】空気吹出調整用レジスタのポップアップ状態の斜視図である。
【図５】図４のV-V断面図である。
【図６】図４のVI-VI断面図である。
【図７】図６のVII-VII拡大断面図である。
【図８】図６のVIII-VIII拡大断面図である。
【符号の説明】
【００４１】
１−レジスタ本体
２−パネル
３−収納部
３ａ−側壁部
３ｂ−ガイド溝
５−前吹出口リテーナ
６−操作ダイヤル
７−駆動歯車
８−従動歯車
９−レバー
１１−上面吹出口
１２−前面吹出口
１３−ダンパ軸
１４−ダンパ
１５−支持軸
１６−第一歯車
１７−第二歯車
１８−操作スイッチ
１９−アクチュエータ
【図１】
2005178516.tif 000003
【図２】
2005178516.tif 000004
【図３】
2005178516.tif 000005
【図４】
2005178516.tif 000006
【図５】
2005178516.tif 000007
【図６】
2005178516.tif 000008
【図７】
2005178516.tif 000009
【図８】
2005178516.tif 000010